(57)【要約】【課題】書籍収蔵庫空間における単位当りの書籍の収容率は低い上に蔵書検索に時間がかかる。高い収容力と迅速な蔵書検索機能をもってなる書籍収蔵庫を提供する。【解決手段】書籍収蔵庫における収納抽斗の単体を、縦型、薄型抽斗とし中心の仕切壁によって収容空間を左右に分け、収納書籍は仕切壁を挟んで配設される個室に立てて背中合せに収納する。この仕切壁には奥行き方向に複数の収納個室を配設し、縦方向にも複数段の収納個室を配設して集積度を上げ、出し入れは手前に引出した収納抽斗左右の側面から行い、書籍の規格毎に沿ったこの収納抽斗を多数並列設置して収容力を上げ、収納抽斗前板には主番地を拡大表記して蔵書検索を容易なものに変え、収納個室には枝番地を附してコンピュータによって情報検索及び出納管理する。【選択図】図２
2013066687.tif 000002
【特許請求の範囲】
【請求項１】
遮蔽された空間に書籍を収容する書籍収蔵庫であって、
書籍を載置収容する縦型、幅薄型の収納抽斗（ｂ１）の幅方向には書籍二冊を縦置き並列収容し、
該収納抽斗の奥行き方向には書籍を縦置きで複数を直列配置して収容するものであることを特徴とした収納抽斗を並列設置してなる書籍収蔵庫。
【請求項２】
請求項１に記載の書籍収蔵庫における収納抽斗（ｂ１）への載置手段を一段目として、これをこの上方向に二段以上同様の階層を設けて収容するものであることを特徴とした書籍収蔵庫。
【請求項３】
請求項２に記載の書籍収蔵庫において
書籍を収容するための収納個室（ｆ１）〜（ｆ４）各々を中央部に設けた仕切壁（ｄ１）の両側に配設し、
収納物の出し入れに際しては収納抽斗（ｂ１）を引出してこれの左右両側面から出し入れを行う構造であることを特徴とした書籍収蔵庫。
【請求項４】
請求項３における書籍収蔵庫であって、
収納抽斗（ｂ１）に附された主番地及び枝番地と、
併せて収納書籍における必要な情報をコンピュータのメモリに読み出し可能に格納し、蔵書の出納管理をコンピュータで行うことを特徴とした収蔵書籍の管理方法。
【請求項５】
請求項３における書籍収蔵庫であって、
蔵書の規格毎に沿って製作した収納抽斗（ｂ１）の適当な一定量を並列設置して規格別収蔵庫ユニットを構成するものであることを特徴とした書籍収蔵庫。
【発明の詳細な説明】
【発明の属する産業分野】
【０００１】本発明は書籍類の収蔵庫に関する。
【背景技術】
【０００２】従来、大量の書籍を収蔵しこれを管理する場合、必要とする大きさや規模の書棚に書籍を整然と立て並べて収容する。【０００３】普通の書棚の奥行きは一冊分しかなく言わば一重に並べたものであるが、別の技術に基づいた書棚毎にスライドさせたり移動ラックの技術を応用して書棚を二重三重に重ねることも一般的になされている。これらは通路に当るスペースを省略することで単位当り収蔵の集積度を向上させたものであるが棚はそれぞれ独立した棚となっている。【０００４】収蔵率を上げるために室内の高所にも書棚を設け、梯子を使って本の出し入れを行うこともなされている。【０００５】書籍は一定の基準のもとに分類され、分類毎専用の棚に陳列されることが多いが、別の分類基準が幾つかあっても現物が一冊であることから事実上一つの分類基準に依るしかないのが現実世界である。【０００６】求める書籍を探して辿り着くためには大分類された当該書棚までは容易に到達することが出来るが、その後はその書棚で本の背表紙の書名を丹念に辿って探すか、管理符号が付されていれば併せて活用検索するのが一般的である。【０００７】このように収容された書籍の所在や出し入れを管理する上においては、必ず検索者が書棚の前に立ち書籍現物の背表紙書名を目で追って検索し、目視判断によって対象物を選択するのであり、このことは一般的にどのような蔵書管理の方法が取られようとも原則的に変ることのない蔵書検索現場の状況であると言える。【０００８】この現状は書籍毎に管理番号が附されていても同様であり、現本の背表紙の僅かな背幅に後付け表示する管理番号は自ずと小さな文字となり目視で目的番号を追い、見つけることには不向きな手段であるが、他に方法がないのが現状である。【０００９】また、書棚が地震によって倒壊しないように対策が取られていることは多いが、地震の揺れによって書籍が棚から飛び出し、落下散乱することへの対応がなされていない収蔵庫も多いのが現実である。【００１０】本発明の課題としている技術に関連や類似する先行技術は無く以下に掲げる例は収容効率の向上を図る目的を掲げている。
【先行技術文献】
【特許文献１】特開平１０−８５０５９号
【発明の概要】
【発明が解決しようとする課題】
【００１１】普通の書棚について言うならば、一つの棚上に背表紙を正面にして書籍を立て並べ、その並列を延長して書列となり棚上は満たされるのであるが、通常は一棚上においてはこれ以外の効率的な陳列方は無いと言える。【００１２】普通は書列の後方に、すなわち棚の奥行が書籍の幅よりも広い場合など棚奥に仮に充分な空間があったとしてもその空間に書籍を収納する二重置きは行われない。収納することは出来てもそれを取出すことも管理することも出来ないからであり、これは所謂デッドスペースであって、故に一つの棚には一重の書列しか置くことは出来ないのが普通である。【００１３】上方についても同様であり、書列の上に新たな書列を置くことは出来ず、あえて行う場合は別の書棚としなければならない。【００１４】つまり一つの棚にはその書列一段以外を後方にも上方部にも載置することは出来ないのが従来の書棚一般状況である。【００１５】従来、大量の蔵書の中を検索して目的の書籍に辿り付くためには書籍の背表紙を直接目視し書名を読み取って判断するものであるから、すべての対象書籍を書棚に立て並べて背表紙が一覧できる状態を常態化しておく必要があったもので、前述のように書列は重ねることの出来ない一重であることから書棚の正面積が膨大になりそれに伴う扱い者の活動スペースが増大することなどから、書籍の収容上における集積度を効率的に高める実用的な手段が求められていたものであり、これを本発明の課題１とする。【００１６】次に、従来蔵書の中から所望の書籍を探すことは、分類を経て膨大に並ぶ背表紙を直接見て判断するのであるが、このことはどのようなシステムであっても変わらぬ蔵書検索の原則である。【００１７】蔵書検索する時、管理番号から検索する場合には背表紙に後付けされた記号や連続番号を頼りに検索されるが、この番号を表示するものは書籍の背幅に納まる小さな後付けラベルであり、連番が数桁にもなると小さな文字表示になるため離れては読み取ることが出来ず、管理ラベルの視認性改善が蔵書検索迅速化のカギとなっていた。【００１８】蔵書検索において専門員ではなく誰であっても目的書籍に迅速容易に辿り着くことのできる効率的な検索手段が求められていたものであり、これの解決を本発明にかかる課題２とする。【００１９】次いで、地震によって書棚が倒壊することを防止することは比較的容易な作業であるので多くの事例はあるが、別の被災である書籍が書棚から飛び出し散乱することを容易に防止できる技術が求められていたもので、これを本発明の課題３とする。
【課題を解決するための手段】
【００２０】キャビネットによって遮蔽された空間に書籍を収容する書籍収蔵庫であって、書籍を載置収容する縦型、幅薄型の収納抽斗（ひきだし）の幅方向には書籍二冊を仕切壁を挟んで両側に縦置き収容し、該収納抽斗の奥行き方向には書籍を縦置きで複数を直列配置して収容効率の向上を図るものであることを特徴とした該収納抽斗を多数並列設置してなる書籍収蔵庫である。【００２１】前記に記載の書籍収蔵庫における収納抽斗への載置方法を一段目としてこれをこの上方向に繰り返し、二段以上同様の階層を設けることで収納抽斗上の収容効率向上を図るものであることを特徴とした書籍収蔵庫である。【００２２】前記に記載の書籍収蔵庫において書籍を収容するための収納個室各々を仕切壁の両側に配設し、収納物の出し入れに際しては収納抽斗を引出してこれの左右両側面から出し入れを行う構造であることを特徴とした書籍収蔵庫である。【００２３】前記に記載の書籍収蔵庫であって、収納抽斗に附された主番地及び枝番地と併せて収納書籍における必要な情報をコンピュータのメモリに読み出し可能に格納し、収蔵書籍の出納管理をコンピュータで行うことを特徴とした収蔵書籍の管理方法である。【００２４】前々記に記載の書籍収蔵庫であって、収蔵する書籍の寸法的規格毎に沿って製作した収納抽斗の一定量を並列設置して規格別収蔵庫ユニットを構成するものであることを特徴とした書籍収蔵庫である。
【発明の効果】
【００２５】従来に無かった新構造である後方収納への拡大展開は３重、４重にも自在に計画して書籍を収容することを実現し、さらに上方への収納展開が同様に２階層３階層と加わることで、実施例においては一個の収納抽斗に２４冊の書籍を収容し、それらを全て容易に出し入れ可能な構造にしたことは書籍収蔵庫にとって大きな進歩となった。【００２６】上記に示す２４冊の収容書籍の集積度は従来に比べて単純計算で１２倍の集積度と言える成果となり、収蔵庫全体においても同様であるから極めて高効率的な集積化が実現しこれにより課題１を解決したものである。【００２７】次に蔵書検索性の向上である。収納抽斗をキャビネットの中へ格納すると収納物は全面的に遮蔽されて見えなくなり、代わって前板に主番地の拡大表示が表題として整然と並び、蔵書検索者がこの前を歩きながらの姿勢で目で番地を追い視認、目的への到達と判断することが出来るようになった。【００２８】コンピュータの情報検索により得られた蔵書データを持って蔵書検索に入ると拡大表示されている主番地を見て歩きながら直接的に格納箇所へ辿り着けるようになったもので、ここに課題２の解決を見たものである。【００２９】地震対策について本発明は、収蔵書籍を一冊毎の個室に載置して遮蔽されたキヤビネット内に収容する構造としたことによって、地震による振動で書籍が乱れたり散乱するなどの被災を無くし課題３を解決したものである。【００３０】同じ広さの収蔵室であれば本発明による高い集積効果によって従来の梯子を使った高い位置の危険性もある書棚を使う必要が必然的になくなる効果がある。
【図面の簡単な説明】
【００３１】
【図１】本発明書籍収蔵庫を示す斜視図。
【図２】本発明書籍収蔵庫の実施例を示す斜視図。
【図３】本発明実施例の主要部を示す平面図、一部断面図である。
【発明を実施するための形態】
【００３２】次に図面により本発明を説明すると、図１は本発明の主要部である収納抽斗ｂ１を示し、その形は縦型で薄型の収納抽斗を構成するものでキャビネットａ１から引出した状態を示す。
【００３３】収納抽斗ｂ１の外形は三方を枠体ｃに、正面を前板ｃ１に囲まれ左右に開かれた空間であり、内部は中央部において仕切壁ｄ１によって左右に二分され、個室仕切ｅによって仕切られて収納個室ｆが構成されこの場合収納個室ｆ１〜ｆ４の４室が構成され、これの裏側である右側面も同様の構成である。
【００３４】収納個室ｆ１〜ｆ４には書籍を各一冊立てて収納し、４冊の表紙が側面から一覧出来る状態で載置され、右側面も右側から同様に収納することで前記仕切壁を挟んで背中合せに合計８冊の書籍を載置収納する縦型で薄型の収納抽斗である。
【００３５】収納抽斗ｂ１の構成は収納物を載置する収納抽斗の常識からは従来無かった形で左右側面から収納物の出し入れを行う構造であり、本発明の特徴の一つである。
【００３６】本発明になる収納抽斗を普通の書棚に比較すると前記収納個室ｆ１が従来の書棚に収納された一重の１冊に当てはまるものであり、奥行方向にあるｆ２と上方に重なるｆ３，ｆ４の３冊は従来の１冊に加算される拡大された集積数と言えるものであり、右側も同様であって実に従来の４倍の収容力が収納抽斗ｂ１上に実現するものでありこれが大きな特徴である。
【００３７】収納抽斗には一個の主番地ｇ１を割当て、枠体ｃの前板ｃ１にこれを表示して収納抽斗を表す表題とし、収納個室全てにも番号を付けてこれを枝番地として単品の所在位置を特定する。
【００３８】二冊の書籍を一つの収納抽斗上に背表紙を正面にして立て並べて収納することにより二冊の容器である該収納抽斗の幅が少なくとも背幅二冊分を超えることになるために表示文字を拡大表記することを可能にし実現したもので、通常一冊の背表紙の幅が表示面の全てであることに比較して少なくとも面積比で４倍の拡大文字表示が可能となる前板ｃ１が実現し、ここに表題を拡大表示することにより視認性が大幅に向上し蔵書検索を容易化することになるのである。
【００３９】このようにして一定量の書籍を納めた収納抽斗ｂ１はキャビネットａ１の中に押し戻して遮蔽格納され、同様の収納抽斗が適当な数だけ並列設置されて一個の完成キャビネットが構成されている。
【００４０】これにより全方位遮蔽された空間内に従来にない高密度で書籍を収容する収容庫が実現し、これを１ユニットとし必要なユニット数を併せて設置して集積度の高い収蔵庫が計画構築されることが容易になったのである。
【００４１】主番地と枝番地に併せて、収納される書籍のもつ必要な情報をコンピュータのメモリに読み出し可能に格納し、収蔵書籍の出納管理をコンピュータで行う。
【実施例】
【００４２】図２及び図３は実施例を示すもので、キャビネットａ２から引出した収納抽斗ｂ２の奥行方向に４重、上方向に３階層として１２個の収納個室があり、右側面も同様であるから合せて２４冊の書籍を収納する例であり、一重の従来書棚に単純比較で１２倍の集積度が実現される。【００４３】検索者が主番地の前に至り収納抽斗を引出した時に１２冊の表紙が一覧できることも本発明の特徴であり、それが分類されて収納されたものであれば目的書籍に近い周辺本を一目で知り得ることになるので検索上極めて好ましい状態が得られる。【００４４】収納抽斗をキャビネットの中へ格納すると収納物は全面的に遮蔽されて見えなくなり、代わって前板ｃ２に主番地ｇ２の拡大表示が整然と並び、蔵書検索者がこの前を歩きながら目で主番地を追いながら到達の判断がなされることが従来との大きな違いである。【００４５】本発明では収容物を全面的に遮蔽してその空間に収納することを大きな特徴としているが、前板ｃ２が網目を有するなどの素材であればそこから収納物を見ることが可能であるが、こうした場合でも遮蔽の定義に入るものとする。【００４６】収納抽斗の収容力は収容書籍の規格、大きさによっても変り得るものであり、本の規格に沿って無駄な空間を省いた収納抽斗を備えた収蔵庫としてユニット化することも現実的手段であり、必要に応じてユニット単位で増設して求める規模の収蔵庫を自在に計画することが容易になる利点がある。【００４７】図に示すｋは出し入れする状況を示し、補助函ｉを倒して収納物ｍを出し入れする。【００４８】前板ｃ２に枝番地と収納物のタイトルなどを見出しｊとして表示することも蔵書検索効果が高い。【００４９】収納抽斗の仕切壁ｄ２を無くして収納物が極端な厚みを有してなる書籍（例えば法令書）などを収納するために幅方向を二冊とすることなく一冊とし、奥行直列と階層のみとする収納引出も一部であれ必要不可欠な構造である。【００５０】キャビネットを防火構造にすることも良く、この場合は貴重な書物の保管庫として高い効果が得られる。【００５１】本発明書籍収蔵庫の出納管理を行うに際して収納物に附したバーコードやＱＲコードを介して管理することもより効果的である。【００５２】情報検索において複数の分類別の一覧表を予め印刷物で準備して置くことで停電や故障時に、またパソコンを扱わない人にとっても困ることなく情報検索することが可能となる。【００５３】従来技術である移動ラック式収蔵庫に本発明書籍収蔵庫を搭載すると両方の利点が相乗効果として発揮され高い効果が得られる。
【符号の説明】ａ１，ａ２キャビネット、ｂ１，ｂ２収納抽斗、ｃ枠体、ｃ１，ｃ２前板、ｄ１，ｄ２仕切壁、ｅ個室仕切、ｆ１〜ｆ４収納個室、ｇ１，ｇ２主番地、ｈ１，ｈ２枝番地、ｉ補助函、ｊ書名見出し、ｋ収納物出し入れ状況、ｍ収納物。
【図１】
2013066687.tif 000003
【図２】
2013066687.tif 000004
【図３】
2013066687.tif 000005